(57)【要約】【課題】部品点数を増やすことなく、長年使用しても空気清浄ユニットの電極間に異常放電を生じさせないようにした空気調和機を提供する。【解決手段】本体の上下部に設けられた吸込口と吹出口とを結ぶ空気通路に熱交換器と送風ファンとが設けられると共に、前記熱交換器の上流側に、左右に延びる複数の溝状のマイナス電極１４と、同マイナス電極１４の溝部に通されたワイヤからなるプラス電極１５とを備え、集塵フィルタ１３を挿脱自在に保持する横桟１１ａを備えたフレーム１１と、同フレーム１１に被着される横桟１２ａを備えた前面カバー１２とからなる空気清浄ユニット７が設けられてなる空気調和機において、前記前面カバー１２の横桟１２ａの端部に、前記マイナス電極１４と前記プラス電極１５との間を絶縁する絶縁壁体１２ｂが設けられている。【選択図】  図６
2004293803.tif 000002
【特許請求の範囲】
【請求項１】
本体上下部の吸込口と吹出口とを結ぶ空気通路に熱交換器と送風ファンとが設けられると共に、前記熱交換器の上流側に、左右に延びる複数の溝状のマイナス電極と、同マイナス電極の溝部に通されたワイヤからなるプラス電極とを備え、集塵フィルタを挿脱自在に保持する横桟を備えたフレームと、同フレームに被着される横桟を備えた前面カバーとからなる空気清浄ユニットが設けられてなる空気調和機において、
前記前面カバーの横桟の端部に、前記マイナス電極と前記プラス電極との間を絶縁する絶縁壁体が設けられてなることを特徴とする空気調和機。
【請求項２】
前記絶縁壁体が、前記前面カバーの横桟と一体に形成されてなることを特徴とする請求項１に記載の空気調和機。
【発明の詳細な説明】
【０００１】
【発明の属する技術分野】
本発明は、空気調和機に係わり、とくに、本体に形成された空気流路の熱交換器より上流側に設けられた空気清浄ユニットの電極の構造に関する。
【０００２】
【従来の技術】
例えば、空気調和機は、図１に示すように、空気調和機の本体１前面上部の吸込口２と、前面下部の吹出口３とを結ぶ空気流路４に、熱交換器５（５ａ、５ｂ）と、送風ファン６とを配設して構成している。
また、図１、図２に示すように、前記熱交換器５（５ａ、５ｂ）の風上側には、前記吸込口２に設けた吸込グリル２ａに対向して空気清浄ユニット７が配設されている。
前記空気清浄ユニット７は、図３、図４、図７、図８に示すように、その本体を複数の横桟１１ａを有するフレーム１１と、複数の横桟１２ａを有する前面カバー１２とで構成し、前記フレーム１１にはその風下側に集塵フィルタ１３を配設し、同集塵フィルタ１３の風上側に板金を複数切り起こして前記横桟１１ａに対応して平行に形成したマイナス電極１４と、同マイナス電極１４の間にワイヤーを折り返して形成したプラス電極１５とを配設している。
そして、前記マイナス電極１４とプラス電極１５との間に高電圧を印加することにより、前記吸込口１から空気と共に吸込まれ、同電極間を通過する塵埃を帯電し、同帯電した塵埃を前記集塵フィルタで電気的に集塵するようになっている。
ところで、前記マイナス電極１４とプラス電極１５には長年使用している間に塵埃が付着するが、その付着具合が前記横桟１１ａおよび１２ａの中央部で多く、端部ａで少ないことが知られている。
これは、前記横桟１１ａおよび１２ａの中央部の空気流量が端部ａより多いため、塵埃の通過量もこれに比例して多くなるためである。
前記マイナス電極１４とプラス電極１５への塵埃の付着に斑が生じた場合、塵埃の付着の少ない部分、即ち、前記横桟１１ａおよび１２ａの端部ａが放電し易くなる。
また、前記マイナス電極１４は、図７に示すように、切り起こし端部が前記横桟１１ａおよび１２ａの端部ａに配置されるが、この切り起こし端部には尖った部分があり、放電し易い形状となっている。
このように、上記２つの条件が重なり、図７に示すように、前記マイナス電極１４とプラス電極１５は、長年の使用により前記横桟１１ａおよび１２ａの端部ａで異常放電して電極を破壊してしまう恐れがあるという問題がある。
そこで、前記プラス電極１５に対応する放電線（１０）の両端に保護チューブ（１２）と、保護チューブ（１２）の外周にかぶせる放電線支持硝子（１３）を設けて異常放電を防止するようにしている（例えば、特許文献１参照。）。
しかしながら、このような構成では部品点数が増えるばかりか、組立の手数がかかり、コスト的に不利になるという問題がある。
【０００３】
【特許文献１】
特開平３−１４６１４８号公報（第２−３頁、第３図）
【０００４】
【発明が解決しようとする課題】
本発明は、上記問題点に鑑み、部品点数を増やすことなく、長年使用しても空気清浄ユニットの電極間に異常放電を生じさせないようにした空気調和機を提供することを目的とする。
【０００５】
【課題を解決するための手段】
本発明は上述の課題を解決するため、本体上下部の吸込口と吹出口とを結ぶ空気通路に熱交換器と送風ファンとが設けられると共に、前記熱交換器の上流側に、左右に延びる複数の溝状のマイナス電極と、同マイナス電極の溝部に通されたワイヤからなるプラス電極とを備え、集塵フィルタを挿脱自在に保持する横桟を備えたフレームと、同フレームに被着される横桟を備えた前面カバーとからなる空気清浄ユニットが設けられてなる空気調和機において、
前記前面カバーの横桟の端部に、前記マイナス電極と前記プラス電極との間を絶縁する絶縁壁体が設けられてなる構成となっている。
【０００６】
また、前記絶縁壁体が、前記前面カバーの横桟と一体に形成されてなる構成となっている。
【０００７】
【発明の実施の形態】
以下、図面に基づいて本発明による空気調和機を詳細に説明する。
図１は本発明に係る空気調和機の側断面図、図２は同空気調和機の吸込みグリルを示す要部分解斜視図、図３は本発明による空気調和機の空気清浄ユニットを示す外観斜視図、図４および図５は同空気清浄ユニットの要部分解斜視図、図６は同空気清浄ユニットの側断面図である。
【０００８】
図１に示すように、空気調和機本体１の前面上部に設けられた吸込口２と、前面下部に設けられた吹出口３とを結ぶ空気流路４には、熱交換器５（５ａ、５ｂ）と送風ファン６とを配設し、図１および図２に示すように、前記熱交換器５（５ａ、５ｂ）の風上側には、前記吸込口２に設けられた吸込グリル２ａとエアーフィルタ８とに対向させた空気清浄ユニット７が設けられている。
【０００９】
前記空気清浄ユニット７は、図３、図４、図５および図６に示すように、左右に延びる複数の溝状のマイナス電極１４と、同マイナス電極１４の溝部に通されたワイヤからなるプラス電極１５とを備え、集塵フィルタ１３を挿脱自在に保持する横桟１１ａを備えたフレーム１１と、同フレーム１１に被着される横桟１２ａを備えた前面カバー１２とからなる構成となっている。
【００１０】
そして、前記前面カバー１２の横桟１２ａの端部ａには、前記マイナス電極１４を囲うようにして、同マイナス電極１４と前記プラス電極１５とを絶縁し、両電極間の沿面距離を長くする絶縁壁体１２ｂを一体に形成している。
【００１１】
これによって、前記マイナス電極１４と前記プラス電極１５との間に高電圧を印加することにより、前記吸込口１から空気と共に吸込まれたのち前記エアーフィルタ８を通過した細かい塵埃が、前記電極間を通過する間に帯電して、前記集塵フィルタ１３により電気的に集塵されるようになっている。
【００１２】
なお、上記従来技術で述べたように、前記マイナス電極１４と前記プラス電極１５には、長年使用している間に、前記横桟１１ａおよび１２ａの中央部には多量の塵埃が、端部ａでは少量の塵埃が付着するため端部ａで放電が起こりやすい状態になってしまうが、上述のように、この端部ａに前記絶縁壁体１２ｂを設けたので、両電極間の沿面距離が長くなり放電するおそれがなくなる。
【００１３】
また、前記マイナス電極１４は、図４に示すように、切り起こし端部が前記横桟１１ａおよび１２ａの端部ａに配置されるが、この切り起こし端部には尖った部分があって放電しやすい形状になっているが、上述のように、この端部ａに前記絶縁壁体１２ｂを設けたので、両電極間の沿面距離が長くなり放電することがない。
【００１４】
【発明の効果】
以上説明したように、本発明による空気調和機によれば、前記絶縁壁体を前記前面カバーの横桟と一体に形成したので、部品点数を増やすことがなく、長年使用しても空気清浄ユニットの電極間に異常放電を生じさせないようにした空気調和機となる。
【図面の簡単な説明】
【図１】本発明に係る空気調和機の要部側断面図である。
【図２】本発明に係る空気調和機の吸込みグリルを示す要部分解斜視図である。
【図３】本発明に係る空気調和機の空気清浄ユニットを示す外観図である。
【図４】本発明に係る空気調和機の空気清浄ユニットを示す要部分解斜視図である。
【図５】本発明による空気調和機の一実施例を示す空気清浄ユニットの要部分解斜視図である。
【図６】本発明による空気調和機の一実施例を示す空気清浄ユニットの要部側断面図である。
【図７】従来の空気調和機を示す空気清浄ユニットの要部分解斜視図である。
【図８】従来の空気調和機を示す空気清浄ユニットの要部側断面図である。
【符号の説明】
１  空気調和機本体
２  吸込口
３  吹出口
４  空気流路
５、５ａ、５ｂ  熱交換器
６  送風ファン
７  空気清浄ユニット
１１  フレーム
１１ａ  横桟
１２  前面カバー
１２ａ  横桟
１２ｂ  絶縁壁体
１３  集塵フィルタ
【図１】
2004293803.tif 000003
【図２】
2004293803.tif 000004
【図３】
2004293803.tif 000005
【図４】
2004293803.tif 000006
【図５】
2004293803.tif 000007
【図６】
2004293803.tif 000008
【図７】
2004293803.tif 000009
【図８】
2004293803.tif 000010